(57)【要約】【課題】ユーザが放送受信装置で選局したときに、良好な受信状態で実現する。【解決手段】テレビ受信装置１０のチューナ制御部５０は、受信状態判定部５１と、チャンネルリスト生成部５２と、チャンネルリスト保持部５３と、受信状態比較部５４と、チャンネルリスト更新部５５とを備えている。受信状態判定部５１は、第１及び第２チューナモジュール２０，３０で選局されているチャンネルの受信状態を取得し受信状態を判断する。また、受信状態比較部５４は、それら受信状態を比較して、第１及び第２チューナモジュール２０，３０のいずれの受信状態が良好であるかを判断する。比較の結果、受信状態の良好なほうを、受信状態比較部５４は表示及び音声出力すべきチューナモジュールとして選定する。【選択図】図３
2009118261.tif 000002
【特許請求の範囲】
【請求項１】
複数のチューナを備える放送受信装置の選局方法であって、
受信可能なサービスに関して、同一のサービスについて、同じタイミングで提供されている複数のチャンネルを特定するサービス特定工程と、
前記同一のサービスを提供する前記複数のチャンネルにおける受信状態を判断する受信状態比較工程と、
前記サービス、前記複数のチャンネル及び前記受信状態とを関連づけてチャンネルリストに記録するリスト生成工程と、
選局の指示がなされたときに、前記チャンネルリストを参照して複数のチャンネルを別々に複数のチューナに設定し、前記複数のチューナにおける受信状態を比較する受信状態比較工程と
現在の受信状態が良好なチャンネルを選局すべきチャンネルとする選局工程と、
を有することを特徴とする選局方法。
【請求項２】
前記複数のチューナに設定されているチャンネルのうち、受信状態が最も良好なチャンネル以外のチャンネルを変更して受信状態を比較する再比較工程を有することを特徴とする請求項１に記載の選局方法。
【請求項３】
前記受信状態比較工程において前記比較したチャンネルの受信状態をもとに、前記チャンネルリストを更新するリスト更新工程を有することを特徴とする請求項１または２に記載の選局方法。
【請求項４】
複数のチューナを備える放送受信装置であって、
受信可能なサービスと、前記サービスを提供するチャンネルと、前記チャンネルの受信状態とを関連づけてチャンネルリストを作成するチャンネルリスト生成部と、
前記チャンネルリストにおいて、選局されたサービスに関連づけられている異なるチャンネルを、前記複数のチューナに設定して、それらチャンネルの受信状態を判断する受信状態判断部と、
前記選局されたサービスについて、前記チャンネルリストを参照して複数のチャンネルを別々に複数のチューナに設定し、前記受信状態判断部の判断結果に基づいて前記複数のチューナにおける受信状態を比較する受信状態比較部と、
受信状態が良好なチャンネルを選局すべきチャンネルとする選局部と、
を有することを特徴とする放送受信装置。
【請求項５】
前記受信状態比較部は、前記複数のチューナに設定されているチャンネルのうち、受信状態が最も良好なチャンネル以外のチャンネルを変更し、変更後の受信状態を比較することを特徴とする請求項４に記載の放送受信装置。
【請求項６】
前記比較した受信状態をもとに、所定のタイミングで前記チャンネルリストを更新するチャンネルリスト更新部を有することを特徴とする請求項４又は５に記載の放送受信装置。
【発明の詳細な説明】
【技術分野】
【０００１】
本発明は、選局方法及び放送受信装置に係り、特に受信可能なチャンネルリストを作成しそのチャンネルリストに基づいてチャンネルを選局する選局方法及びそのような機能を有する放送受信装置に関する。
【背景技術】
【０００２】
テレビ放送受信装置では、従来より選局可能なチャンネルを設定するために、ユーザが使用していないタイミングで、選局可能なチャンネルをサーチして、受信状態が所定レベル以上のチャンネルを、選局可能チャンネルとしてチャンネルリストを生成する機能を備える。
【０００３】
上述のように、良好な受信状態のチャンネルを選局可能にするための技術がいくつか提案されている。そのような技術として、あるサービス（「編成チャンネル」ともいう）を提供するチャンネルを放送局側で変更した場合、つまり、周波数を変更した場合、放送波に含まれるチャンネル変更情報を取得して、チャンネルプリセットテーブルを更新し、更新後のチャンネルプリセットテーブルに従って正常な受信が可能か否かを判定する技術が提案されている（例えば、特許文献１参照）。この技術によって、ユーザによるチャンネルサーチ等を行うことなく、チャンネル変更に自動追従することができる。
【０００４】
また、あらかじめチャンネルサーチを実行するなどして選局可能なチャンネルリストを受信機内に記録するときに同一サービスを提供する異なるチャンネルが存在すれば、受信状態に応じて優先順位をつけておき、選局時に優先順位の高い順に良好な受信状態のチャンネルをサーチする技術もある（例えば、特許文献２参照）
【特許文献１】特再公表ＷＯ２００５／０１１２６５号公報
【特許文献２】特開平５−９０９０８号公報
【発明の開示】
【発明が解決しようとする課題】
【０００５】
ところで、特許文献１に開示の技術にあっては、チャンネルサーチが実行されるまで、周波数の変更を認識できない場合があった。また、取得したチャンネル変更情報のみでチャンネルプリセットを実施すると変更日時が変更されたときなどに追従できない場合があった。さらに、特許文献２に開示の技術にあっては、あらかじめ定めた優先順位に従って受信状態が良好なチャンネルが見つかるまで選局動作を実施するため、ユーザにサービスを提示するまでの時間がかかった。さらにまた、チャンネルリストに記載の全チャンネルを比較することにはならないので、必ずしも最適なチャンネルが選択される保障はなかった。また、上述のように一般的な機能として、テレビ放送受信装置がオフのときにチャンネルサーチを行いチャンネルリストを更新する場合には、ユーザがテレビ放送受信装置をオンして選局したときに必ずしも良好な受信状態が得られるとは限らず、別のチャンネルの受信状態のほうが良好である可能性もあった。また、ユーザによっては、テレビ放送受信装置をオフしているときに、待機電力を削減するために電源をコンセントから抜いてしまうことがあった。このような場合には、チャンネルリストの更新がされないという課題があった。
【０００６】
本発明の目的は、上記課題に鑑み、同一サービスが同じタイミングで異なるチャンネルにより提供されているとき、このサービスを受信状態の良好なチャンネルで受信することができる技術を提供することにある。
【課題を解決するための手段】
【０００７】
本発明に係る方法は、選局方法に関する。この方法は、複数のチューナを備える放送受信装置の選局方法であって、受信可能なサービスに関して、同一のサービスについて、同じタイミングで提供されている複数のチャンネルを特定するサービス特定工程と、前記同一のサービスを提供する前記複数のチャンネルにおける受信状態を判断する受信状態工程と、前記サービス、前記複数のチャンネル及び前記受信状態とを関連づけてチャンネルリストに記録するリスト生成工程と、選局の指示がなされたときに、前記チャンネルリストを参照して複数のチャンネルを別々に複数のチューナに設定し、前記複数のチューナにおける受信状態を比較する受信状態比較工程と、受信状態が良好なチャンネルを選局すべきチャンネルとする選局工程と、を有する。
また、この方法は、前記複数のチューナに設定されているチャンネルのうち、受信状態が最も良好なチャンネル以外のチャンネルを変更して受信状態を比較する再比較工程を有してもよい。
また、この方法は、前記受信状態比較工程において前記比較したチャンネルの受信状態をもとに、前記チャンネルリストを更新するリスト更新工程を有してもよい。
本発明に係る装置は、複数のチューナを備える放送受信装置であって、受信可能なサービスと、前記サービスを提供するチャンネルと、前記チャンネルの受信状態とを関連づけてチャンネルリストを作成するチャンネルリスト生成部と、前記チャンネルリストにおいて、選局されたサービスに関連づけられている異なるチャンネルを、前記複数のチューナに設定して、それらチャンネルの受信状態を判断する受信状態判断部と、前記選局されたサービスについて、前記チャンネルリストを参照して複数のチャンネルを別々に複数のチューナに設定し、前記受信状態判断部における判断結果に基づいて前記複数のチューナにおける受信状態を比較する受信状態比較部と、受信状態が良好なチャンネルを選局すべきチャンネルとする選局部と、を有する。
また、この装置では、前記受信状態比較部は、前記複数のチューナに設定されているチャンネルのうち、受信状態が最も良好なチャンネル以外のチャンネルを変更し、変更後の受信状態を比較してもよい。
また、この装置では、前記比較した受信状態をもとに、所定のタイミングで前記チャンネルリストを更新するチャンネルリスト更新部を有してもよい。
【発明の効果】
【０００８】
本発明によれば、同一サービスが同じタイミングで異なるチャンネルにより提供されているとき、このサービスを受信状態の良好なチャンネルで受信することができる。
【発明を実施するための最良の形態】
【０００９】
つぎに、本発明を実施するための最良の形態（以下「実施形態」という）を、図面を参照して具体的に説明する。
【００１０】
本実施形態では、複数のチューナを備えたテレビ受信装置において、ユーザが所望のサービス（編成チャンネル）を選局したときに、そのサービスを提供するチャンネルのうち、最も受信状態が良好なチャンネルを選局する。なお当然に、テレビ受信装置に限らず、複数のチューナを備えた録画再生装置等にも適用できる。
【００１１】
図１は、本実施形態によるテレビ受信装置１０が、二つの中継局９１，９２の放送を受信できる状態にあることを模式的に示しており、本実施形態によりこのような状態に好適なテレビ受信装置１０を提案する。また、図２は同一中継局から二つの周波数により同一サービスが送信されるケースを示した図である。例えば、アナログ放送の中止に伴いデジタル放送のチャンネルの再編（周波数リパック）がなされる場合がある。このとき、図示のように、同一サービスを提供する旧波と新波は、サイマル期間である期間Ｄ１〜Ｄ２において重複して送出されて、期間Ｄ２以降は新波のみによりサービスが提供される。そして、図示のように、旧波の出力を徐々に下げてゆき、ユーザに新波への移行を促す。一般には、上述した通り、テレビ受信装置１０がチャンネル変更情報を参照して自動更新するが、ユーザがマニュアル操作によりチャンネルリストを設定する場合があるので、その様な場合に、本実施の形態は好適である。
【００１２】
そのため、まず、チャンネルリストを作成するときに、同一サービスを提供するチャンネルが複数選局可能な状態にあれば、選局可能なチャンネルを過去の受信状態に基づいて優先順位をつけてチャンネルリストに記録しておく。そして、選局時に、二つのチューナを作動させ、一方では最も優先順位の高いチャンネルを選局し、他方のチューナでは優先順位が２番のチャンネルを選局する。さらに優先順位の高いチャンネルを選局したチューナにおいて受信状態が良好でないと判断した場合に、優先順位が２番目以降のチャンネルに良好なチャンネルが存在すれば、その良好なチャンネルに選局を決定する。なお、以下で説明するチャンネルは、周波数が関連づけられた物理チャンネルを意味し、リモコン装置などの選局ボタンの番号として称される編成チャンネルを意味するものではない。
【００１３】
図３は、本実施形態に係るテレビ受信装置１０の主要な構成を示す機能ブロック図である。図示のように、テレビ受信装置１０は、以下に示す構成要素を統括的に制御する主制御部１２と、二つのチューナモジュールとして第１及び第２チューナモジュール２０，３０と、出力処理部４１と、映像を表示する表示部４２と、音声を出力するスピーカと、を備える。
【００１４】
さらに、テレビ受信装置１０は、アンテナ４６で受信した信号を第１及び第２チューナモジュール２０，３０に分波する分配器４０と、リモコン装置４５の操作指示を取得するリモコン受光部４４と、第１及び第２チューナモジュール２０，３０を制御するチューナ制御部５０とを備える。
【００１５】
第１チューナモジュール２０は、第１チューナ部２１と、第１復調処理部２２と、第１復号処理２３とを備えている。
【００１６】
第１チューナ部２１は、ユーザの選局指示やチャンネルリスト作成処理を実行するためにチャンネルを選局して所望の周波数の信号（ＩＦ信号）を抽出する。
【００１７】
第１復調処理部２２は、抽出された上記の信号を復調処理し、ＴＳ信号を抽出する。
【００１８】
第１復号処理２３は、ＴＳ信号から選択されたサービスの分離処理（ＤｅＭＵＸ処理）及びデコード処理により、映像信号及び音声信を再生する。
【００１９】
第２チューナモジュール３０は、第１チューナモジュール２０と同様に、第２チューナ部３１と、第２復調処理部３２と、第２復号処理部３３とを備えている。第２チューナ部３１、第２復調処理部３２及び第２復号処理部３３は、それぞれ第１チューナ部２１、第１復調処理部２２及び第１復号処理２３と同一の機能を備えており、ここでは説明は省略する。
【００２０】
出力処理部４１は、第１復号処理２３または第２復号処理部３３で再生された映像信号及び音声信号を、表示部４２及びスピーカ４３に出力するための処理を行う。その処理において、出力処理部４１は、必要に応じて映像画面とデータ放送画面とを合成したりする。
【００２１】
チューナ制御部５０は、第１及び第２チューナモジュール２０，３０の選局制御をするとともに、本実施形態において特徴的な処理を実行するために受信状態判定部５１と、チャンネルリスト生成部５２と、チャンネルリスト保持部５３と、受信状態比較部５４と、チャンネルリスト更新部５５とを備えている。
【００２２】
受信状態判定部５１は、第１及び第２チューナモジュール２０，３０で選局されているチャンネルの受信状態を取得し受信状態を判断する。また、受信状態比較部５４は、それら受信状態を比較して、第１及び第２チューナモジュール２０，３０のいずれのチューナモジュールの受信状態が良好であるかを判断する。受信状態は、例えば、ＢＥＲ（Bit Error Rate）値やＣＮ（Carrier to Noise ratio）値、受信強度により判断する。
【００２３】
チャンネルリスト生成部５２は、第１及び第２チューナモジュール２０，３０で受信可能なチャンネルリストを作成し、作成したチャンネルリストをチャンネルリスト保持部５３に記録する。そして、チャンネルリスト更新部５５は、そのチャンネルリスト作成及び更新処理を、例えば、毎日深夜のスタンバイモードの時に実行し、そのタイミングでテレビ受信装置１０がオンしていた場合は、テレビ受信装置１０がオフになるまで待ち、スタンバイモードで実行する。なお、スタンバイモードとは、テレビ受信装置１０の主電源がオンになって、待機状態として選局処理や表示処理がなされず、ユーザの操作を待っている状態を指す。
【００２４】
図４は、チャンネルリスト生成部５２で作成されるチャンネルリストの内容の一例を示したテーブルを示している。図４（ａ）は、本実施形態で作成されるチャンネルリストであり、図４（ｂ）は、従来より一般的に作成されるチャンネルリストである。図示において、「ボタン番号」はテレビ受信装置１０本体や、リモコン装置４５の選局用のボタン等を意味している。したがって、例えば、図４（ａ）において、リモコン装置４５のボタン番号「１」が押下されるとサービスＩＤ「１４１」を提供するチャンネル「Ｕ２１」（周波数５２１ＭＨｚ）が選局され、ボタン番号「２」の押下されるとサービスＩＤ「１６１」を提供するチャンネル「Ｕ２２」が選局される。
【００２５】
まず、図４（ｂ）に示すように従来より作成されているチャンネルリストでは、一つのサービスＩＤに対して一つのチャンネル（ＣＨ）及びそのチャンネルの周波数が関連づけられている。例えば、サービスＩＤ「１４１」には、チャンネル（ＣＨ）「Ｕ２１」が関連づけられている。
【００２６】
一方、本実施形態では、図４（ａ）に示すように、一つのサービスＩＤに対して複数のチャンネル（ＣＨ）及びその物理チャンネルの周波数が関連づけることが可能となっている。例えば、サービスＩＤ「１４１」には、チャンネル「Ｕ２１」のみが関連づけられている。
【００２７】
また、図４（ａ）では、過去の受信状態の比較結果が記録される。ここでは、前回〜３回前までの３回分の比較結果が、受信状態が良かった順が番号で記録される。サービスＩＤ「１６１」では、前回がチャンネル「Ｕ２２」が受信状態が最も良い「１」、チャンネル「Ｕ２６」が受信状態が２番目に良い「２」、チャンネル「Ｕ２８」が受信状態が三番目である「３」が記録されている。
【００２８】
なおここでは、受信状態として、受信状態の比較結果を記録しているが、ＢＥＲ値やＣＮ値の値が記録されてもよい。そして、チャンネルリスト更新部５５は、所定のタイミング、例えば、過去三回の受信状態に基づいて、上述の更新タイミングで優先順位を更新したり、１週間の記録に基づいて更新したりする。また、ＢＥＲ値やＣＮ値、受信レベル等が記録される場合には、それら数値の推移により、優先順位が判定されてもよい。
【００２９】
そして、サービスＩＤ「１６１」には、３つのチャンネル「Ｕ２２」，「Ｕ２６」，「Ｕ２８」が関連づけられており、上に記載の「Ｕ２２」チャンネルが、前回、２回前、３回前において受信状態「１」が２回、受信状態「２」がの状態が１回であるので、チャンネルリスト作成時においてより良好な受信状態のチャンネルであることを示している。
【００３０】
さらに、例えば、リモコン装置４５のボタン番号「２」の選局用ボタンが押下されてサービスＩＤ「１６１」の選局指示があった場合、まず第１チューナモジュール２０がチャンネル「Ｕ２２」を選局して、第２チューナモジュール３０がチャンネル「Ｕ２６」を選局する。そして、受信状態判定部５１は、どちらのチャンネルの受信状態が良好であるかを判断して、良好なチャンネルを受信しているチューナモジュールを最終的な選局チューナモジュールとして選択して、出力処理部４１への出力指示を行う。
【００３１】
以下、図５に示すフローチャートに基づいて、テレビ受信装置１０における選局処理について説明する。
【００３２】
ユーザが、リモコン装置４５などを用いて所望のサービスの選局指示をすると、チューナ制御部５０は、サービス特定工程として、チャンネルリスト保持部５３に保持されているチャンネルリストを参照して、指定されたサービスを示すサービスＩＤに対して、受信可能なチャンネルが２局以上記録されているかを確認する（Ｓ１０）。
【００３３】
２局以上記録されている場合（Ｓ１０のＹ）、以下の受信状態比較工程（Ｓ１２、Ｓ１４）を実行する。つまり、受信状態比較部５４は第１及び第２のチューナモジュール２０，３０に対して優先順位の上位２局を選局設定するように指示する（Ｓ１２）。それにより例えば、図４（ａ）のサービスＩＤ「１６１」が選択された場合であれば、第１チューナモジュール２０は、優先順位が１位のチャンネル「Ｕ２２」を選局すべき周波数として設定する。また、第２チューナモジュール３０は、優先順位が２位のチャンネル「Ｕ２６」を選局すべき周波数として設定する。
【００３４】
つぎに、受信状態判定部５１が、第１及び第２のチューナモジュール２０，３０の受信状態（ＢＥＲ値やＣＮ値など）を取得し、受信状態比較部５４は、第１及び第２のチューナモジュール２０，３０のいずれが受信状態が良好であるかを比較する（Ｓ１４）。受信状態の比較は、上述のように例えば第１及び第２のチューナモジュール２０，３０が受信している信号から得られるＢＥＲ値やＣＮ値等を参照することでなされる。
【００３５】
そして、チューナ制御部５０は、受信状態比較部５４における比較処理の結果、受信状態が劣っていると判断したほうのチューナモジュールに関して、設定しているチャンネルをまだ未設定のチャンネルに変更する（Ｓ１６）。例えば、上述の例において第２チューナモジュール３０が受信しているチャンネル「Ｕ２６」の受信状態の方が劣っている場合、第２チューナモジュール３０には、チャンネル「Ｕ２６」に代わりチャンネル「Ｕ２８」が設定される。また、第１チューナモジュール２０のチャンネル「Ｕ２２」は変更されない。
【００３６】
なお、いずれかのチューナモジュールにおける受信状態が、非常に良好である場合は、他に受信状態を比較すべきチャンネルが存在している場合であっても、比較処理を中止して、受信状態が非常に良好であると判断されたチューナモジュールを選局対象、つまり、提示処理（表示及び出力処理）の対象として決定してもよい。これにより、選局処理のスピードを向上できる。
【００３７】
受信状態比較部５４は、同一サービスＩＤに記録されているチャンネル全てをいずれかのチャンネルモジュールで設定されたか否かを判定する（Ｓ１８）。まだ未設定のチャンネルが残っている場合（Ｓ１８のＮ）、再比較工程としてＳ１４のステップに戻り以降の処理がなされる。
【００３８】
全てのチャンネルが設定されたら（Ｓ１８のＹ）、受信状態比較部５４は受信状態の良好なチャンネルを最終的にユーザに提示するチャンネルとして決定する（Ｓ２０）。例えば、チャンネル「Ｕ２２」と「Ｕ２６」の受信状態の比較の結果、チャンネル「Ｕ２６」の受信状態の方が良好であれば、チャンネルリスト上では優先順位が２番目のチャンネルであるチャンネル「Ｕ２６」が、ユーザに提示されるチャンネルとなる。
【００３９】
一方、Ｓ１０のステップにおいて、チャンネルリストに選局可能なチャンネルが２局以上で記録されていない場合（Ｓ１０のＮ）、チューナ制御部５０はチャンネルリストに選局可能なチャンネルが記録されているか判断する（Ｓ２２）。
【００４０】
チャンネルが記録されていれば（Ｓ２２のＹ）、そのチャンネルを第１チューナモジュール２０又は第２チューナモジュール３０のいずれかに設定する（Ｓ２４）。いずれのチューナモジュールに設定するかは、常時固定されてもよい。
【００４１】
Ｓ２０及びＳ２４のステップにおいて、ユーザに提示すべきチャンネルが決定したら、チューナ制御部５０は、提示処理としてそのチャンネルが設定されて受信しているチューナモジュールの映像信号及び音声信号を出力処理部４１に出力して、さらに出力処理部４１は適当な処理を施して表示部４２及びスピーカ４３に対して映像信号及び音声信号を出力する（Ｓ２８）。
【００４２】
なお、Ｓ２２のステップにおいて、チャンネルリストに受信可能なチャンネルが記録されていない場合（Ｓ２２のＮ）、主制御部１２は出力処理部４１から表示部４２に受信が不可能である旨を表示する（Ｓ２６）。これにより一連の処理が終了する。
【００４３】
なお、Ｓ１４の受信状態の比較において、優先順位の高いチャンネルが十分に受信状態が良好であると判断されたときには、以降の処理を行わず、そのチャンネルをユーザに提示するチャンネルとして決定してもよい。このようにすることで、選局動作を簡略化できる。
【００４４】
以上、本発明を実施形態を基に説明した。この実施形態は例示であり、それらの各構成要素の組み合わせにいろいろな変形例が可能なこと、またそうした変形例も本発明の範囲にあることは当業者に理解されるところである。
【００４５】
例えば、表示部４２やスピーカ４３への出力は、最終的に選局するチャンネルの決定後なされたが、これに限る趣旨ではない。例えば、優先順位のチャンネルの受信状態が良好であると判断された場合には、他のチャンネルとの比較前であっても、表示部４２やスピーカ４３への出力を行い、その上で比較処理がなされてもよい。また、対象の放送として、テレビ放送に限らず、ラジオ放送であってもよい。
【図面の簡単な説明】
【００４６】
【図１】実施形態に係る、テレビ受信装置が、二つの中継局の放送を受信できる状態にあることを模式的に示した図である。
【図２】実施形態に係る、同一中継局から二つの周波数により同一サービスが送信されるサイマル期間が生じているケースを示した図である。
【図３】実施形態に係る、テレビ受信装置の主要な構成を示す機能ブロック図である。
【図４】実施形態に係る、チャンネルリスト生成部で作成されるチャンネルリストの内容の一例を示したテーブルを示している。
【図５】実施形態に係る、テレビ受信装置における選局処理を示すフローチャートである。
【符号の説明】
【００４７】
１０  テレビ受信装置
１２  主制御部
２０  第１チューナモジュール
２１  第１チューナ部
２２  第１復調処理部
２３  第１復号処理
３０  第２チューナモジュール
３１  第２チューナ部
３２  第２復調処理部
３３  第２復号処理部
４０  分配器
４１  出力処理部
４２  表示部
４３  スピーカ
４４  リモコン受光部
４５  リモコン装置
４６  アンテナ
５０  チューナ制御部
５１  受信状態判定部
５２  チャンネルリスト生成部
５３  チャンネルリスト保持部
５４  受信状態比較部
５５  チャンネルリスト更新部
【図１】
2009118261.tif 000003
【図２】
2009118261.tif 000004
【図３】
2009118261.tif 000005
【図４】
2009118261.tif 000006
【図５】
2009118261.tif 000007